(57)【要約】  無線通信における利用のためのセルを決定するために、適切なセルを選択するに際して、信号対雑音比または信号対電力比が使用されることが出来る。しかしながら、セル選択は信号対雑音比と信号対電力比双方を考慮するように構成することも出来る。複数の利用可能セルが分析されることが出来て、前述の比を比較検討することによって最高優先順位のセルが選択されることが出来る。更に、セル間の移転を最小にするために、別のセルにおいて前述の比が両方ともより良好でない限りあるセルが離別されないように、制限が設けられることが出来る。
2010531098.tif 000002
【特許請求の範囲】
【請求項１】
通信利用のためにセルを決定するための方法であって、
主セルの１次品質尺度と２次品質尺度を少なくとも１つの補助セルの１次品質尺度と２次品質尺度に対して比較すること、及び
該比較の結果の関数として利用のためのセルを選択すること
を具備する方法。
【請求項２】
１次品質尺度は信号対雑音比または信号対電力比である、請求項１の方法。
【請求項３】
２次品質尺度は信号対雑音比または信号対電力比であり、１次品質尺度と２次品質尺度は同じ比ではない、請求項２の方法。
【請求項４】
１次品質尺度と２次品質尺度の関数として主セルと少なくとも１つの補助セルに優先順位を付けることを更に具備し、最高優先順位のセルが選択される、請求項１の方法。
【請求項５】
優先順位を付けられたセルが最高の１次品質尺度と最高の２次品質尺度を有するかどうかをチェックすることを更に具備し、最高の１次品質尺度と最高の２次品質尺度を持つセルが選択される、請求項４の方法。
【請求項６】
主セルと少なくとも１つの補助セルに優先順位を付けることは
１次品質尺度の関数として該諸セルに優先順位を付けること、
２次品質尺度の関数として該諸セルに優先順位を付けること、及び
１次品質尺度のセル優先順位を２次品質尺度のセル優先順位に対して比較検討すること
を具備する、請求項４の方法。
【請求項７】
１次品質尺度のセル優先順位を２次品質尺度のセル優先順位に対して比較検討することは重み係数の使用によって実行される、請求項６の方法。
【請求項８】
該比較の結果の関数として利用のためのセルを選択することは、
サービシング・セルを識別すること、該サービシング・セルは主セルである
ある補助セルが該サービシング・セルと比較してより高い１次品質尺度とより高い２次品質尺度を有するかどうかを判定すること、
もし該補助セルが該サービシング・セルと比較してより高い１次品質尺度とより高い２次品質尺度を有するならば、該補助セルを利用のために選択すること、及び
もし該補助セルが該サービシング・セルと比較してより高い１次品質尺度とより高い２次品質尺度を有しないならば、該主セルをサービシング・セルとして維持すること
を具備する、請求項１の方法。
【請求項９】
該サービシング・セルと比較してより高い１次品質尺度とより高い２次品質尺度を有する補助セルが１より多くあるならば、１セルを利用のために指定することを更に具備する、請求項８の方法。
【請求項１０】
１次品質尺度または２次品質尺度を測定することを更に具備する、請求項１の方法。
【請求項１１】
無線通信装置であって、
主セルの１次品質尺度と２次品質尺度を少なくとも１つの補助セルの１次品質尺度と２次品質尺度に対して比較する評価器、及び
該比較の結果の関数として利用のためのセルを選択する指定器
を具備する装置。
【請求項１２】
１次品質尺度は信号対雑音比または信号対電力比である、請求項１１の装置。
【請求項１３】
２次品質尺度は信号対雑音比または信号対電力比であり、１次品質尺度と２次品質尺度は同じ比ではない、請求項１２の装置。
【請求項１４】
１次品質尺度と２次品質尺度の関数として主セルと少なくとも１つの補助セルに優先順位を付けるプレーサを更に具備し、最高優先順位のセルが選択される、請求項１１の装置。
【請求項１５】
優先順位を付けられたセルが最高の１次品質尺度と最高の２次品質尺度を有するかどうかをチェックする確認器を更に具備し、最高の１次品質尺度と最高の２次品質尺度を持つセルが選択される、請求項１４の装置。
【請求項１６】
主セルと少なくとも１つの補助セルに優先順位を付けることは
１次品質尺度の関数として該諸セルに優先順位を付ける分類器、
２次品質尺度の関数として該諸セルに優先順位を付けるアレンジャー、及び
１次品質尺度のセル優先順位を２次品質尺度のセル優先順位に対して比較検討するレベラ
を具備する、請求項１４の装置。
【請求項１７】
該レベラは重み係数の使用によって１次品質尺度のセル優先順位を２次品質尺度のセル優先順位に対して比較検討するレベラである、請求項１６の装置。
【請求項１８】
該比較の結果の関数として利用のためのセルを選択することは、
サービシング・セルを識別する認識器、該サービシング・セルは主セルである
ある補助セルが該サービシング・セルと比較してより高い１次品質尺度とより高い２次品質尺度を有するかどうかを判定するチェッカー、
もし該補助セルが該サービシング・セルと比較してより高い１次品質尺度とより高い２次品質尺度を有するならば、該補助セルを利用のために選択する選択器、及び
もし該補助セルが該サービシング・セルと比較してより高い１次品質尺度とより高い２次品質尺度を有しないならば、該主セルをサービシング・セルとして維持するストッパー
を具備する、請求項１１の装置。
【請求項１９】
該サービシング・セルと比較してより高い１次品質尺度とより高い２次品質尺度を有する補助セルが１より多くあるならば、１セルを利用のために指定する指名器を更に具備する、請求項１８の装置。
【請求項２０】
１次品質尺度または２次品質尺度を測定する計算器を更に具備する、請求項１１の装置。
【請求項２１】
無線通信装置であって、
主セルの１次品質尺度と２次品質尺度を少なくとも１つの補助セルの１次品質尺度と２次品質尺度に対して比較するための手段、及び
該比較の結果の関数として利用のためのセルを選択するための手段
を具備する装置。
【請求項２２】
１次品質尺度は信号対雑音比または信号対電力比である、請求項２１の装置。
【請求項２３】
２次品質尺度は信号対雑音比または信号対電力比であり、１次品質尺度と２次品質尺度は同じ比ではない、請求項２２の装置。
【請求項２４】
１次品質尺度と２次品質尺度の関数として主セルと少なくとも１つの補助セルに優先順位を付けるための手段を更に具備し、最高優先順位のセルが選択される、請求項２１の装置。
【請求項２５】
優先順位を付けられたセルが最高の１次品質尺度と最高の２次品質尺度を有するかどうかをチェックするための手段を更に具備し、最高の１次品質尺度と最高の２次品質尺度を持つセルが選択される、請求項２４の装置。
【請求項２６】
主セルと少なくとも１つの補助セルに優先順位を付けることは
１次品質尺度の関数として該諸セルに優先順位を付けるための手段、
２次品質尺度の関数として該諸セルに優先順位を付けるための手段、及び
１次品質尺度のセル優先順位を２次品質尺度のセル優先順位に対して比較検討するための手段
を具備する、請求項２４の装置。
【請求項２７】
重み係数の使用によって１次品質尺度のセル優先順位を２次品質尺度のセル優先順位に対して比較検討するための手段である、請求項２６の装置。
【請求項２８】
該比較の結果の関数として利用のためのセルを選択することは、
サービシング・セルを識別するための手段、該サービシング・セルは主セルである
ある補助セルが該サービシング・セルと比較してより高い１次品質尺度とより高い２次品質尺度を有するかどうかを判定するための手段、
もし該補助セルが該サービシング・セルと比較してより高い１次品質尺度とより高い２次品質尺度を有するならば、該補助セルを利用のために選択するための手段、及び
もし該補助セルが該サービシング・セルと比較してより高い１次品質尺度とより高い２次品質尺度を有しないならば、該主セルをサービシング・セルとして維持するための手段
を具備する、請求項２１の装置。
【請求項２９】
該サービシング・セルと比較してより高い１次品質尺度とより高い２次品質尺度を有する補助セルが１より多くあるならば、１セルを利用のために指定するための手段を更に具備する、請求項２８の装置。
【請求項３０】
１次品質尺度または２次品質尺度を測定するための手段を更に具備する、請求項２１の装置。
【請求項３１】
機械可読媒体であって、
主セルの１次品質尺度と２次品質尺度を少なくとも１つの補助セルの１次品質尺度と２次品質尺度に対して比較するための、及び
該比較の結果の関数として利用のためのセルを選択するための
機械実行可能命令を記憶した機械可読媒体。
【請求項３２】
１次品質尺度は信号対雑音比または信号対電力比である、請求項３１の機械可読媒体。
【請求項３３】
２次品質尺度は信号対雑音比または信号対電力比であり、１次品質尺度と２次品質尺度は同じ比ではない、請求項３２の機械可読媒体。
【請求項３４】
１次品質尺度と２次品質尺度の関数として主セルと少なくとも１つの補助セルに優先順位を付けるための命令を更に具備し、最高優先順位のセルが選択される、請求項３１の機械可読媒体。
【請求項３５】
優先順位を付けられたセルが最高の１次品質尺度と最高の２次品質尺度を有するかどうかをチェックするための命令を更に具備し、最高の１次品質尺度と最高の２次品質尺度を持つセルが選択される、請求項３４の機械可読媒体。
【請求項３６】
主セルと少なくとも１つの補助セルに優先順位を付けることは
１次品質尺度の関数として該諸セルに優先順位を付けるための、
２次品質尺度の関数として該諸セルに優先順位を付けるための、及び
１次品質尺度のセル優先順位を２次品質尺度のセル優先順位に対して比較検討するための
命令を具備する、請求項３４の機械可読媒体。
【請求項３７】
１次品質尺度のセル優先順位を２次品質尺度のセル優先順位に対して比較検討することは重み係数の使用によって実行される、請求項３６の機械可読媒体。
【請求項３８】
該比較の結果の関数として利用のためのセルを選択することは、
サービシング・セルを識別するための、該サービシング・セルは主セルである
ある補助セルが該サービシング・セルと比較してより高い１次品質尺度とより高い２次品質尺度を有するかどうかを判定するための、
もし該補助セルが該サービシング・セルと比較してより高い１次品質尺度とより高い２次品質尺度を有するならば、該補助セルを利用のために選択するための、及び
もし該補助セルが該サービシング・セルと比較してより高い１次品質尺度とより高い２次品質尺度を有しないならば、該主セルをサービシング・セルとして維持するための
命令を具備する、請求項３１の機械可読媒体。
【請求項３９】
該サービシング・セルと比較してより高い１次品質尺度とより高い２次品質尺度を有する補助セルが１より多くあるならば、１セルを利用のために指定するための命令を更に具備する、請求項３８の機械可読媒体。
【請求項４０】
１次品質尺度または２次品質尺度を測定するための命令を更に具備する、請求項３１の機械可読媒体。
【請求項４１】
無線通信システムにおける装置であって、
主セルの１次品質尺度と２次品質尺度を少なくとも１つの補助セルの１次品質尺度と２次品質尺度に対して比較するために、及び
該比較の結果の関数として利用のためのセルを選択するために
構成されたプロセッサを具備する装置。
【請求項４２】
１次品質尺度は信号対雑音比または信号対電力比である、請求項４１の装置。
【請求項４３】
２次品質尺度は信号対雑音比または信号対電力比であり、１次品質尺度と２次品質尺度は同じ比ではない、請求項４２の装置。
【請求項４４】
該プロセッサは１次品質尺度と２次品質尺度の関数として主セルと少なくとも１つの補助セルに優先順位を付けるために更に構成され、最高優先順位のセルが選択される、請求項４１の装置。
【請求項４５】
該プロセッサは優先順位を付けられたセルが最高の１次品質尺度と最高の２次品質尺度を有するかどうかをチェックするために更に構成され、最高の１次品質尺度と最高の２次品質尺度を持つセルが選択される、請求項４４の装置。
【請求項４６】
主セルと少なくとも１つの補助セルに優先順位を付けることは、
１次品質尺度の関数として該諸セルに優先順位を付けるために、
２次品質尺度の関数として該諸セルに優先順位を付けるために、及び
１次品質尺度のセル優先順位を２次品質尺度のセル優先順位に対して比較検討するために
該プロセッサが更に構成されることを可能にする、請求項４４の装置。
【請求項４７】
１次品質尺度のセル優先順位の２次品質尺度のセル優先順位に対する比較検討は重み係数の使用によって実行される、請求項４６の装置。
【請求項４８】
該比較の結果の関数として利用のためのセルを選択することは、
サービシング・セルを識別するために、該サービシング・セルは主セルである
ある補助セルが該サービシング・セルと比較してより高い１次品質尺度とより高い２次品質尺度を有するかどうかを判定するために、
もし該補助セルが該サービシング・セルと比較してより高い１次品質尺度とより高い２次品質尺度を有するならば、該補助セルを利用のために選択するために、及び
もし該補助セルが該サービシング・セルと比較してより高い１次品質尺度とより高い２次品質尺度を有しないならば、該主セルをサービシング・セルとして維持するために
該プロセッサが更に構成されることを可能にする、請求項４１の装置。
【請求項４９】
該プロセッサは、該サービシング・セルと比較してより高い１次品質尺度とより高い２次品質尺度を有する補助セルが１より多くあるならば、１セルを利用のために指定するために更に構成される、請求項４８の装置。
【請求項５０】
該プロセッサは１次品質尺度または２次品質尺度を測定するために更に構成される、請求項４１の装置。
【請求項５１】
セルを介する通信を容易にするための方法であって、
モバイル機器への通信のために１次品質尺度と２次品質尺度を決定すること、及び
該１次品質尺度と該２次品質尺度を転送すること
を具備する方法。
【請求項５２】
１次品質尺度は信号対雑音比または信号対電力比である、請求項５１の方法。
【請求項５３】
２次品質尺度は信号対雑音比または信号対電力比であり、１次品質尺度と２次品質尺度は同じ比ではない、請求項５２の方法。
【請求項５４】
１次品質尺度と２次品質尺度を測定することを更に具備する、請求項５１の方法。
【請求項５５】
無線通信装置であって、
モバイル機器への通信のために１次品質尺度と２次品質尺度を決定する識別器、及び
該１次品質尺度と該２次品質尺度を転送するエンゲージャ
を具備する装置。
【請求項５６】
１次品質尺度は信号対雑音比または信号対電力比である、請求項５５の装置。
【請求項５７】
２次品質尺度は信号対雑音比または信号対電力比であり、１次品質尺度と２次品質尺度は同じ比ではない、請求項５６の装置。
【請求項５８】
１次品質尺度および２次品質尺度を測定する分析器を更に具備する、請求項５５の装置。
【請求項５９】
無線通信装置であって、
モバイル機器への通信のために１次品質尺度と２次品質尺度を決定するための手段、及び
該１次品質尺度と該２次品質尺度を転送するための手段
を具備する装置。
【請求項６０】
１次品質尺度は信号対雑音比または信号対電力比である、請求項５９の装置。
【請求項６１】
２次品質尺度は信号対雑音比または信号対電力比であり、１次品質尺度と２次品質尺度は同じ比ではない、請求項６０の装置。
【請求項６２】
１次品質尺度と２次品質尺度を測定するための手段を更に具備する、請求項５９の装置。
【請求項６３】
機械可読媒体であって、
モバイル機器への通信のために１次品質尺度と２次品質尺度を決定するための、及び
該１次品質尺度と該２次品質尺度を転送するための
機械実行可能命令を記憶した機械可読媒体。
【請求項６４】
１次品質尺度は信号対雑音比または信号対電力比である、請求項６３の機械可読媒体。
【請求項６５】
２次品質尺度は信号対雑音比または信号対電力比であり、１次品質尺度と２次品質尺度は同じ比ではない、請求項６４の機械可読媒体。
【請求項６６】
１次品質尺度と２次品質尺度を測定するための命令を更に具備する、請求項６３の機械可読媒体。
【請求項６７】
無線通信システムにおける装置であって、
モバイル機器への通信のために１次品質尺度と２次品質尺度を決定するために、及び
該１次品質尺度と該２次品質尺度を転送するために
構成されたプロセッサを具備する装置。
【請求項６８】
１次品質尺度は信号対雑音比または信号対電力比である、請求項６７の装置。
【請求項６９】
２次品質尺度は信号対雑音比または信号対電力比であり、１次品質尺度と２次品質尺度は同じ比ではない、請求項６８の装置。
【請求項７０】
該プロセッサは１次品質尺度と２次品質尺度を測定するために更に構成される、請求項６７の装置。
【発明の詳細な説明】
【技術分野】
【０００１】
［相互参照］
本特許出願は、２００７年６月１５日に提出された、“周波数間セル選択のための方法および装置”と題する米国特許仮出願番号第６０／９４４，４７２号に優先権を主張する。前述の仮出願の全体は参照として本明細書に組み込まれている。
【背景技術】
【０００２】
[背景]
Ｉ．分野
下記の説明は一般に無線通信に係わり、特に、信号対雑音比に基づいて利用のためのセルを決定することに係わる。
【０００３】
ＩＩ．背景
無線通信システムは広汎に配備されて、例えば、音声及び／又はデータ等々のような種々の形式の通信内容を提供する。一般的な無線通信システムは、利用可能なシステム・リソース（例えば、帯域幅、送信電力、…）を配分することによって、多数の利用者との通信に対応することが出来る多元接続システムであることが出来る。このような多元接続システムの例は、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交周波数分割多元接続（Orthogonal Frequency Division Multiple Access）（ＯＦＤＭＡ）システム、及び類似のシステムを含むことが出来る。
【０００４】
一般には、無線多元接続通信システムは複数のモバイル機器に対する通信を同時にサポートすることが出来る。それぞれのモバイル機器は順方向リンク及び逆方向リンク上の伝送を介して一又は複数の基地局と通信することが出来る。順方向リンク（又は下り回線）は基地局からモバイル機器への通信回線を指し、そして逆方向リンク（又は上り回線）はモバイル機器から基地局への通信回線を指す。更に、モバイル機器と基地局間の通信は単一入力単一出力（single-input-single-output）（ＳＩＳＯ）システム、多重入力単一出力（multiple-input-single-output）（ＭＩＳＯ）システム、多重入力多重出力（multiple-input- multiple -output）（ＭＩＭＯ）システム、等々を介して確立させることが出来る。
【０００５】
ＭＩＭＯシステムは、通常、データ伝送に対して複数（ＮＴ個）の送信アンテナと複数（ＮＲ個）の受信アンテナを使用する。ＮＴ個の送信アンテナとＮＲ個の受信アンテナによって形成されるＭＩＭＯチャネルは、空間チャネルと呼ばれる、ＮＳ個の独立したチャネルに分解されることが出来る。ここに、ＮＳ≦ｍｉｎ｛ＮＴ，ＮＲ｝である。ＮＳ個の独立したチャネルのそれぞれは１つの次元に対応する。更に、ＭＩＭＯシステムは、複数の送信アンテナと受信アンテナによって創られる追加の次元が利用される場合、改善された性能（例えば、向上したスペクトル効率、より高いスループット及び／又はより大きな信頼性）をもたらすことが出来る。
【０００６】
ＭＩＭＯシステムは通常の物理媒体を介する順方向リンク通信と逆方向リンク通信とを分割する種々の複信技術をサポートすることが出来る。例えば、周波数分割複信（frequency division duplex）（ＦＤＤ）システムは順方向リンク通信と逆方向リンク通信に対して異種の周波数領域を利用することが出来る。更に、時分割複信（time division duplex）（ＴＤＤ）システムでは、順方向リンク通信と逆方向リンク通信は共通の周波数領域を利用することが出来る。しかしながら、従来技術はチャネル情報に関して全くフィードバックを提供しないか或いは限られたフィードバックしか提供できない。
【発明の概要】
【０００７】
下記は１又は複数の実施形態の簡単化された概要を提示するが、該実施形態の基本的な理解を提供するためである。この概要は全ての想定される実施形態の広範囲な概観ではないし、全ての実施形態の不可欠な又は決定的に重要な要素を特定することも又任意のまたは全ての実施形態の範囲を正確に概説することも意図していない。その唯一の目的は１又は複数の実施形態の幾つかの概念を後に提示される更に詳細な説明への前奏として簡単化された形で提示することである。
【０００８】
１又は複数の実施形態とその対応する開示に従い、通信利用のためのセルを決定するための方法に関して種々の態様が説明される。方法は、主セルの１次品質尺度(primary quality measure)と２次品質尺度(secondary quality measure)を少なくとも１つの補助セル(supplemental cell)の１次品質尺度と２次品質尺度に対して比較すること、及び、利用のためのセルを該比較の結果の関数(function)として選択すること、を具備することが出来る。
【０００９】
別の実施形態によれば、主セルの１次品質尺度と２次品質尺度を少なくとも１つの補助セルの１次品質尺度と２次品質尺度に対して比較する評価器（evaluator）と、利用のためのセルを該比較の結果の関数として選択する指定器（designator）とを含む無線通信装置が可能である。
【００１０】
更に別の態様では、主セルの１次品質尺度と２次品質尺度を少なくとも１つの補助セルの１次品質尺度と２次品質尺度に対して比較するための手段を具備する無線通信装置が可能である。該装置は利用のためのセルを該比較の結果の関数として選択するための手段を更に具備する。
【００１１】
更なる態様では、主セルの１次品質尺度と２次品質尺度を少なくとも１つの補助セルの１次品質尺度と２次品質尺度に対して比較するための、及び、利用のためのセルを該比較の結果の関数として選択するための、機械実行可能な命令を記憶した機械可読媒体が可能である。
【００１２】
１つの態様によれば、無線通信システムにおいて、主セルの１次品質尺度と２次品質尺度を少なくとも１つの補助セルの１次品質尺度と２次品質尺度に対して比較するように構成されたプロセッサを具備する装置が可能である。該プロセッサは、又、利用のためのセルを該比較の結果の関数として選択するように構成されることが出来る。
【００１３】
別の態様では、セルを介する通信を容易にするための方法が可能である。該方法は、モバイル機器への通信のための１次品質尺度と２次品質尺度を決定すること、並びに、該１次品質尺度と２次品質尺度を転送すること、を具備することが出来る。
【００１４】
更なる態様では、モバイル機器への通信のための１次品質尺度と２次品質尺度を決定する識別器（identifier）と該１次品質尺度と２次品質尺度を転送するエンゲージャ（engager）とを具備する無線通信装置が可能である。
【００１５】
１つの態様では、モバイル機器への通信のための１次品質尺度と２次品質尺度を決定するための手段を具備する無線通信装置が可能である。該装置は該１次品質尺度と２次品質尺度を転送するための手段を更に具備することが出来る。
【００１６】
更に別の態様では、モバイル機器への通信のための１次品質尺度と２次品質尺度を決定するための、及び、該１次品質尺度と２次品質尺度を転送するための、機械実行可能な命令を記憶した機械可読媒体が可能である。
【００１７】
別の態様では、無線通信システムにおいて、モバイル機器への通信のための１次品質尺度と２次品質尺度を決定するように、該１次品質尺度と２次品質尺度を転送するように、構成されたプロセッサを具備する装置が可能である。
【００１８】
先述の及び関連する目的の達成のために、該１又は複数の態様は下記に完全に説明され特に特許請求の範囲で指摘される諸特徴を含む。下記の説明と添付図は該１又は複数の実施形態のある一定の例示的諸態様を詳細に説明する。これ等の態様は種々の実施形態の諸原理が利用されることが可能な種々の方法の内のただ数個を示すに過ぎないけれども、該記載された諸実施形態は全てのこのような態様およびその同等物を含むように意図される。
【図面の簡単な説明】
【００１９】
【図１】図１は、本明細書で説明される種々の態様に従う、無線通信システムの例示図である。
【図２】図２は、本明細書で説明される種々の態様に従う、品質尺度を考慮する無線通信のための代表的システムの例示図である。
【図３】図３は、本明細書で説明される種々の態様に従う、無線通信構成において諸セルに優先順位を付けるための代表的システムの例示図である。
【図４】図４は、本明細書で説明される種々の態様に従う、通信のためにセル間の切換を管理するための代表的システムの例示図である。
【図５】図５は、本明細書で説明される種々の態様に従う、品質尺度を決定して該尺度に従いセルに優先順位を付けるための代表的システムの例示図である。
【図６】図６は、本明細書で説明される種々の態様に従う、品質尺度情報を提供するための代表的方法の例示図である。
【図７】図７は、本明細書で説明される種々の態様に従う、セルに優先順位を付け該優先順位に基づいてセルを選択するための代表的方法の例示図である。
【図８】図８は、本明細書で説明される種々の態様に従う、改良されたセルを選択するための代表的方法の例示図である。
【図９】図９は、本明細書で説明される種々の態様に従う、セルを測定するための代表的方法の例示図である。
【図１０】図１０は、本明細書で説明される種々の態様に従う、セル選択を容易にする実例のモバイル機器の例示図である。
【図１１】図１１は、本明細書で説明される種々の態様に従う、通知されたセル選択を行うための情報を提供することを容易にする実例システムの例示図である。
【図１２】図１２は、本明細書で説明される種々のシステムと方法に関連して利用されることが出来る、実例の無線ネットワーク環境の例示図である。
【図１３】図１３は、本明細書で説明される種々の態様に従う、セル選択を容易にする実例のシステムの例示図である。
【図１４】図１４は、本明細書で説明される種々の態様に従う、品質尺度供給を容易にする実例のシステムの例示図である。
【発明を実施するための形態】
【００２０】
本明細書で説明される技術は、符号分割多元接続（Code Division Multiple Access）（ＣＤＭＡ）、時分割多元接続（Time Division Multiple Access）（ＴＤＭＡ）、周波数分割多元接続（Frequency Division Multiple Access）（ＦＤＭＡ）、直交周波数分割多元接続（Orthogonal Frequency-Division Multiple Access）（ＯＦＤＭＡ）、単一キャリア（Single Carrier）ＦＤＭＡ（ＳＣ−ＦＤＭＡ）、及びその他のシステムのような、種々の無線通信システムに対して使用されることが出来る。用語“システム”と“ネットワーク”はしばしば交換して使用されることが出来る。ＣＤＭＡシステムは、例えばユニバーサル・テレストリアル・ラジオ・アクセス（Universal Terrestrial Radio Access）（ＵＴＲＡ）、ＣＤＭＡ２０００等々のような、無線技術を実行することが出来る。ＵＴＲＡは広帯域ＣＤＭＡ（Wideband-CDMA）（Ｗ−ＣＤＭＡ）及びその他のＣＤＭＡの変型を含む。ＣＤＭＡ２０００はアイエス（Interim Standard：暫定標準）（ＩＳ）−２０００標準、ＩＳ−９５標準、及び、ＩＳ−８５６標準、を包含する。ＴＤＭＡシステムはグローバル・システム・フォー・モバイル・コミュニケーションズ（Global system for Mobile communications）（ＧＳＭ）のような無線技術を実行することが出来る。ＯＦＤＭＡシステムは、エボルブド・ユニバーサル・テレストリアル・ラジオ・アクセス（Evolved Universal Terrestrial Radio Access）（Ｅｖｏｌｖｅｄ  ＵＴＲＡ又はＥ−ＵＴＲＡ）、ウルトラ・モバイル・ブロードバンド（Ultra Mobile Broadband）（ＵＭＢ）、アイトリプルイー（Institute of Electrical and Electronics Engineers：アメリカ電気電子学会）（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ（Flash-）ＯＦＤＭ登録商標、等々のような無線技術を実行することが出来る。ユニバーサル・テレストリアル・ラジオ・アクセス（ＵＴＲＡ）とＥ−ＵＴＲＡはユニバーサル・モバイル・テレコミュニケーション・システム（Universal Mobile Telecommunication System）（ＵＭＴＳ）の一部である。３ＧＰＰロング・ターム・エボリューション（ＬＴＥ）はＥ−ＵＴＲＡを使用する近々リリースのＵＭＴＳであって、Ｅ−ＵＴＲＡは下り回線にＯＦＤＭＡを上り回線にＳＣ−ＦＤＭＡを使用する。ＵＴＲＡ、Ｅ−ＵＴＲＡ、ＵＭＴＳ、ＬＴＥ及びＧＳＭは“第３世代パートナーシップ・プロジェクト”（“3rd Generation Partnership Project”）（３ＧＰＰ）と呼ばれる組織からの資料に説明されている。ＣＤＭＡ２０００とＵＭＢは“第３世代パートナーシップ・プロジェクト２”（“3rd Generation Partnership Project 2”）（３ＧＰＰ２）と呼ばれる組織からの資料に説明されている。
【００２１】
ここに種々の実施形態が図面を参照して説明される。図面では同じ参照番号は全体を通して同じ要素を指すために使用される。下記の説明では、説明目的のために、多くの具体的な詳細が１又は複数の実施形態の完全な理解を提供するために記載される。しかしながら、このような（諸）実施形態はこれ等の具体的な詳細がなくても実行されることが出来ることは明らかであると言える。他の例では、周知の構成と装置が１又は複数の実施形態を説明することを容易にするためにブロック図の形式で示される。
【００２２】
本願で使用されるように、用語“コンポーネント”、“モジュール”、“システム”及び類似の用語は、コンピュータ関連の構成要素、ハードウェア、ファームウェア、ハードウェアとソフトウェアの組合せ、ソフトウェア、或いは実行中のソフトウェア、の何れかを指すように意図される。例えば、コンポーネントはプロセッサ上で走る処理、プロセッサ、オブジェクト、実行ファイル、実行のスレッド、プログラム、及び／又はコンピュータであることが出来るが、これ等に限定されない。説明のために、計算装置上で走るアプリケーションと該計算装置は両者共にコンポーネントであることが出来る。１又は複数のコンポーネントが処理及び／又は実行のスレッド内に常駐出来る、そして、あるコンポーネントは１つのコンピュータ上に局在させることが出来るし及び／又は２以上のコンピュータ間に分散させることも出来る。その上、これ等のコンポーネントは種々のデータ構造をその上に格納させた種々のコンピュータ可読媒体から実行することが出来る。該諸コンポーネントは、例えば１又は複数のデータ・パケットを有する信号に従ってローカル処理及び／又は遠隔処理により通信することが出来る（例えば、１つのコンポーネントからのデータは、ローカル・システム、分散システム内の別のコンポーネントと、及び／又はインターネットのようにネットワークを横断して他のシステムと、該信号によって相互作用する）。
【００２３】
更に、種々の実施形態がモバイル機器に関連して本明細書で説明される。モバイル機器は、又、システム、加入者ユニット、加入者局、移動局、モバイル、遠隔局、遠隔端末、接続端末、利用者端末、端末、無線通信装置、利用者エージェント（agent）、利用者装置、又は利用者設備（ＵＥ）、とも呼ばれることが出来る。モバイル機器は、セルラ電話、コードレス電話、シップ（Session Initiation Protocol）（ＳＩＰ）電話、無線ローカル・ループ（wireless local loop）（ＷＬＬ）局、携帯情報端末（Personal Digital Assistant）（ＰＤＡ）、無線接続能力を有するハンドヘルド装置、計算装置、或いは無線モデムに接続される他の処理装置、であることが出来る。その上、種々の実施形態が基地局に関連して本明細書で説明される。基地局は（複数の）モバイル機器と通信するために利用されることが出来て、接続点、ノード（Node）Ｂ、又は何か他の用語で呼ばれることもできる。
【００２４】
更に、本明細書で説明される種々の態様又は特徴は、方法、装置、或いは標準プログラム技術及び／又は工業技術を使用する工業製品、として実現されることが出来る。本明細書で使用される用語“工業製品”は任意のコンピュータ可読装置、キャリア、又は媒体から接続可能なコンピュータ・プログラムを含むように意図される。例えば、コンピュータ可読媒体は、磁気記憶装置（例えば、ハード・ディスク、フロッピー（登録商標）・ディスク、磁気テープ、等々）、光学ディスク（例えば、コンパクト・ディスク（ＣＤ）、デジタル多用途ディスク（digital versatile disk）（ＤＶＤ）、等々）、スマート・カード、及びフラッシュ・メモリ装置（例えば、ＥＰＲＯＭ、カード、スティック、キー・ドライブ、等々）を含むことが出来るがこれ等に限定されない。更に、本明細書で説明される種々の記憶媒体は情報を記憶するための１又は複数の装置及び／又は他の機械可読媒体を表すことが出来る。用語“機械可読媒体”は、（複数の）命令及び／又はデータを記憶する、保持する、及び／又は、搬送することが出来る、無線チャネル及び種々の他の媒体を含むことが出来るが、これ等に限定されない。
【００２５】
ここに図１を参照すると、本明細書で提示される種々の実施形態に従って、無線通信システム１００が例示される。システム１００は複数のアンテナ群を含むことが出来る基地局１０２を含む。例えば、１つのアンテナ群はアンテナ１０４と１０６を含むことが出来る、別のアンテナ群はアンテナ１０８と１１０を含むことが出来る、そして更に別の群はアンテナ１１２と１１４を含むことが出来る。それぞれのアンテナ群に対して２つのアンテナが例示されている。しかしながら、もっと多くの又は少ないアンテナが各グループに対して利用されることが出来る。基地局１０２は更に送信機チェーン（chain）と受信機チェーンを含むことが出来て、それ等はそれぞれ今度は、当業者によって理解されるように、信号の送受信に関連付けられる複数のコンポーネント（例えば、プロセッサ、変調器、多重化装置、復調器、逆多重化装置、アンテナ、等々）を具備することが出来る。
【００２６】
基地局１０２は、モバイル機器１１６とモバイル機器１２２のような１又は複数のモバイル機器と通信することが出来る。しかしながら、基地局１０２はモバイル機器１１６と１２２と同様な実質的に任意の数のモバイル機器と通信できることが認識されるべきである。モバイル機器１１６と１２２は、例えば、セルラ電話、スマート・フォン、ラップトップ、ハンドヘルド（handheld）通信装置、ハンドヘルド計算装置、衛星ラジオ、全地球測位システム、ＰＤＡｓ、及び／又は無線通信システム１００を介して通信するためのその他任意の適切な装置、であることが出来る。図示されるように、モバイル機器１１６はアンテナ１１２、１１４と通信している、この場合アンテナ１１２と１１４は順方向リンク１１８を介してモバイル機器１１６に情報を送信し、そして逆方向リンク１２０を介してモバイル機器１１６から情報を受信する。更に、モバイル機器１２２はアンテナ１０４、１０６と通信している、この場合アンテナ１０４と１０６は順方向リンク１２４を介してモバイル機器１２２に情報を送信し、そして逆方向リンク１２６を介してモバイル機器１２２から情報を受信する。周波数分割複信（frequency division duplex）（ＦＤＤ）システムでは、例えば、順方向リンク１１８は逆方向リンク１２０によって使用される周波数帯とは異なる周波数帯を利用することが出来、そして、順方向リンク１２４は逆方向リンク１２６によって利用される周波数帯とは異なる周波数帯を利用することが出来る。更に、時分割複信（time division duplex）（ＴＤＤ）システムでは、順方向リンク１１８と逆方向リンク１２０は共通の周波数帯を利用することが出来て、順方向リンク１２４と逆方向リンク１２６は共通の周波数帯を利用することが出来る。
【００２７】
アンテナが通信するために指定されている領域及び／又はアンテナのセットは基地局１０２のセクタと呼ばれることが出来る。例えば、複数のアンテナが、基地局１０２によってカバーされる諸領域に属するあるセクタ内の諸モバイル機器に通信するように、設定されることが出来る。順方向リンク１１８と１２４を介する通信では、基地局１０２の送信アンテナは、モバイル機器１１６と１２２に対する順方向リンク１１８と１２４の信号対雑音比を改良するためにビームフォーミングを利用することが出来る。また、基地局１０２は、関連する交信範囲全体に無秩序に分散させられているモバイル機器１１６と１２２に送信するためにビームフォーミングを利用するが、他方、隣接セル内の諸モバイル機器は、単一アンテナを介して全てのモバイル機器に送信する基地局と比較して、より少ない干渉を受けることが可能である。
【００２８】
ここに図２を参照すると、無線通信を容易にするための実例のシステム２００が開示される。従来の無線通信構成では、利用可能な１つの周波数があり、従って、該利用可能な周波数が通信で使用される。しかしながら、複数の周波数を用いると、装置は通信の間中使用すべき周波数を選択することが出来る。周波数（及び、例えば、該周波数で通信するために使用すべきセル）を選択するために、信号対雑音比または信号対電力比が測定されることが出来て、両方の尺度に関して最高優先順位のセルが通信のために選択される。システム２００は信号対雑音比並びに信号対電力比がセル選択で考慮されることを可能にする。
【００２９】
Ｅｃ／Ｎｏ（信号対雑音比）とＲＳＣＰ（Reference symbol received power：リファレンス・シンボル受信電力−別名、信号対電力比として知られる）がセル再選択優先順位付け(ranking)のためのＦＤＤ（周波数分割複信）品質尺度として互換的に使用されることが出来る周波数内セル再選択に対するのとは異なり（２つの量は、ＲＳＳＩ（Received signal strength indicator：受信信号強度インジケータ）が全ての周波数内セルに対して同じなので、同一の優先順位付け結果を与える可能性がある）、周波数間セル再選択優先順位付けは、２つの周波数についてのＲＳＳIが異なることが出来るが故に、何れの測定量が使用されるかに依存して顕著に変化し得る。周波数間セル再選択がＲＳ−ＳＩＮＲ（Reference symbol signal to interference plus noise ratio：リファレンス・シンボル信号対干渉＋雑音比−別名、信号雑音比として知られる）又はＲＳＲＰの何れかに基づいて可能であるという考慮がなされる場合、同様な考慮はＬＴＥ（ロング・ターム・エボリューション）に適用可能である。
【００３０】
ＷＣＤＭＡ（広帯域符号分割多元接続）ＦＤＤマルチ・キャリア（マルチ周波数）のある複数のシナリオでは、ＲＳＣＰ単独測定またはＥｃ／Ｎｏ（即ち、ＲＳ−ＳＩＮＲ）単独測定の何れかに基づくセル再選択優先順位付けは最適でない可能性がある。特に、サービス／カバレージ（coverage）連続性と負荷バランスが極めて重大である問題の多いシナリオでは、ＲＳＣＰ測定とＥｃ／Ｎｏ測定の双方が周波数間セル再選択性能にとって重要になり得る。
【００３１】
モバイル機器２０２は適切なセルの選択を容易にするために基地局２０４と通信することが出来る。評価器２０６は主セルの１次品質尺度２０８と２次品質尺度２１０を少なくとも１つの補助セルの１次品質尺度と２次品質尺度に対して比較することが出来る。前述の品質態様におけるセル優先順位付けをハイライトする数学的結果が提供されることが出来る。指定器２１２は、通常、ルックアップ表、規則セット、人工知能技術、及び類似の技術を介して、該比較の結果の関数として利用のためのセルを選択することが出来る。１つの実施形態によれば、１次品質尺度は信号対雑音比または信号対電力比であり、そして、２次品質尺度は信号対雑音比または信号対電力比であって、この場合、１次品質尺度と２次品質尺度とは異なる。
【００３２】
人工知能技術は、本明細書に記載される種々の自動化された態様を実行することに従い、データから学習するための、そして次に、推論を引き出すための、及び／又は、複数の記憶ユニットを横断して情報を動的に記憶することに関わる決定を行うための、多数の方法（例えば、隠れマルコフ・モデル（Hidden Markov Model）（ＨＭＭ）及び関連する原型的な係り受け（dependency）モデル、例えばベイズ・モデル・スコア（Bayesian model score）又は近似を使用する構造探索によって創られるベイズ・ネットワーク（Bayesian network）のようなより一般的な確率論的グラフィカル・モデル、サポート・ベクター・マシン（support vector machine）（ＳＶＭ）のような線型分類器（linear classifier）、“ニューラル・ネットワーク（neural network）”法、ファジー（fuzzy）論理法、及びデータ融合（fusion）を実行するその他の手法のような非線形分類器、等々）の１つを利用することが出来る。その上、これ等の技術は、自動定理証明器（theorem prover）、又は、更にヒューリスティック（heuristic）な規則に基づくエキスパート・システム、のような論理的関係の獲得のための方法を含むことも出来る。更に、無線通信における利用のためのセル選択の場合、２超の品質尺度が考慮されることが出来ることが認識されるべきである。
【００３３】
操作を容易にするために、基地局２０４は種々のモジュールを使用することが出来てモバイル機器２０２が適切な決定を行うことが出来るようにする。識別器２１４はモバイル機器２０２への通信に対する１次品質尺度と２次品質尺度を決定することが出来る。例えば、要求メッセージが基地局２０４に発せられることが出来、そして、自動セッティングは基地局２０４に情報を発するように指示することが出来る。基地局２０４は人工知能技術等々の使用によって何が提供されるべきかについて推論を行うことが出来る。分析器２１６は１次品質尺度と２次品質尺度を測定することが出来る。エンゲージャ２１８は１次品質尺度と２次品質尺度を、通常モバイル機器２０２へ、転送することが出来る。基地局２０４の一部として開示されるけれども、分析器２１６は、独立したモジュールとして識別器２１４とエンゲージャ２１８とは別に、機能することが出来る、ということが認識されるべきである。同様に、１次品質尺度は信号対雑音比または信号対電力比であり、そして、２次品質尺度は信号対雑音比または信号対電力比であって、この場合、１次品質尺度と２次品質尺度とは異なる。
【００３４】
下記は、システム２００に係わる並びに本明細書で開示される他の諸態様に関する、実例の動作である。１次品質尺度は選択されたＦＤＤ再選択品質尺度（ＥＣ／Ｎｏ又はＲＳＣＰ）であることが出来て、他方、２次品質尺度は別のＦＤＤ再選択品質尺度（ＲＳＣＰ又はＥＣ／Ｎｏ）であることが出来る。システム２００は、１次品質尺度に基づいてサービング・セル（serving cell）と少なくとも１つの隣接セルに優先順位を付けた後、最高優先順位付けされたセルであることが出来る綜合的に最良な優先順位を付けられたセルを識別するために機能することが出来る。
【００３５】
１つの実施態様に従えば、セル再選択のアルゴリズムはＵＭＴＳ（ユニバーサル・モバイル・テレコミュニケーション・システム）に対して使用されることが出来る。もしネットワークがＵＥ（モバイル機器２０２のような、利用者設備）に、あるＦＤＤ再選択品質尺度に追加して、（例えば、送付されるパラメータによって）セル再選択のためにＲＳＣＰ量とＥｃ／Ｎｏ量双方を評価するように指示する場合、該ＵＥはそれぞれのセル（サービング及び隣接）に対してＣＰＩＣＨ（Common Pilot Channel）Ｅｃ／ＮｏとＲＳＣＰ双方を測定することが出来る。該ＵＥは１次品質尺度に基づいてサービング・セルと隣接セルに優先順位を付けることも出来るが、しかし、それぞれのセルに両方の品質尺度を関連付ける。更に、サービング・セルよりも高いＲＳＣＰとＥｃ／Ｎｏを有するセルが優先順位表中にあるならば、その場合該ＵＥは諸セルの中で最高の１次品質尺度を持つセルに対して再選択することが出来る。更に付け加えると、もしどのセルも前述の条件を満足しないならば、その場合該ＵＥは、例え（１次品質尺度のみを使用する現在の基準の仕組みに従うと）サービング・セルとは異なっていても、綜合的に最良な優先順位を付けられるセルを再選択し、その他の場合には再選択しない。
【００３６】
ＬＴＥの場合に対しては異なるセル再選択アルゴリズムも可能である。ネットワークは、ＵＥに対して、ある一定の再選択品質尺度に追加して、セル再選択のためにＲＳＲＰとＲＳ−ＳＩＮＲ双方を（送付されるパラメータによって）評価するように指示することが出来て、該ＵＥは（サービングと隣接）それぞれのセルに対してＲＳＲＰとＲＳ−ＳＩＮＲ双方を測定することが出来る。測定結果の使用によって、１次品質尺度に基づいてサービング・セルと隣接セルに優先順位を付けることが可能であるが、しかし、それぞれのセルには両方の品質尺度を関連付ける。もしサービング・セルよりも高いＲＳＲＰとＲＳ−ＳＩＮＲを有するセルが優先順位表中にあるならば、諸セルの中で最高の１次品質尺度を持つセルに対して再選択が行われることが出来る。しかしながら、もしどのセルも前述の条件を満足しないならば、該ＵＥは、例え該サービング・セルとは異なっていても、綜合的に最良な優先順位を付けられるセルを再選択することが出来て、その他の場合には再選択しない。
【００３７】
例えばＵＭＴＳコンテキストでは、他のアルゴリズムが使用されることが出来る。もし、ネットワークがＵＥに対して、ある一定のＦＤＤ再選択品質尺度に追加して、セル再選択のためにＲＳＣＰとＥＣ／Ｎｏ双方を評価するように指示し、ＲＳＣＰとＥＣ／Ｎｏ測定に重み付けするために使用されるべき諸係数を（送付されるパラメータによって）指示するならば、該ＵＥは（サービングと隣接）それぞれのセルに対してＣＰＩＣＨ  Ｅｃ／ＮｏとＲＳＣＰ双方を測定することが出来る。該測定を用いて、下記の公式に基づくサービング・セルと隣接セルの優先順位付けが可能である
セルの品質＝Ａ＊（ＲＳＣＰ＋Ｂ）＋Ｃ＊（Ｅｃ／Ｎｏ＋Ｄ）
ここに、Ａ、Ｂ、Ｃ及びＤはＢＣＣＨ（Broadcast Control Channel：報知制御チャネル）で送付される係数であることが出来る。該ＵＥは、例え該サービング・セルとは異なっていても、綜合的に最良な優先順位を付けられるセルを再選択することが出来て、その他の場合には再選択しない。
【００３８】
ＬＴＥコンフィギュレーションでの使用のために代替アルゴリズムも可能である。もし、ネットワークがＵＥに対して、ある一定のＦＤＤ再選択品質尺度に追加して、セル再選択のためにＲＳＲＰとＲＳ−ＳＩＮＲ双方を評価するように指示し、ＲＳＣＰとＥＣ／ＮＯ測定に重み付けするために使用されるべき諸係数を（送付されるパラメータによって）指示するならば、該ＵＥは（サービングと隣接）それぞれのセルに対してＲＳＲＰとＲＳ−ＳＩＮＲ双方を測定するべきである。該測定を用いて、下記の公式に基づくサービング・セルと隣接セルの優先順位付けが可能である
セルの品質＝Ａ＊（ＲＳＲＰ＋Ｂ）＋Ｃ＊（ＲＳ−ＳＩＮＲ＋Ｄ）
ここに、Ａ、Ｂ、Ｃ及びＤはＢＣＣＨで送付される係数であることが出来る。該公式を使用すると、該ＵＥは、例え該サービング・セルとは異なっていても、綜合的に最良な優先順位を付けられるセルを再選択することが出来て、その他の場合には再選択しない。
【００３９】
]  ここに図３を参照すると、無線通信における利用のためのセルを決定するために、複数の異なるセルに優先順位を付けるための実例のシステム３００が開示される。モバイル機器２０２は基地局２０４が品質尺度情報を提供するように要求する。基地局２０４は３個の異なるアンテナが使用される一セルの一部であることが出来る。識別器２１４はモバイル機器２０２によって所望される品質尺度を決定することが出来て、エンゲージャ２１８は品質尺度情報をモバイル機器２０２に転送することが出来る。複数の基地局２０４が品質尺度情報を供給することが出来て、モバイル機器２０２は使用すべき所望の（例えば、最良の）セルを決定することが出来る。
【００４０】
評価器２０６は利用可能な基地局２０４間で品質尺度情報を比較することが出来る。指定器２１２は該比較の結果に基づいて利用すべき適切なセルを選択することが出来る。選択を容易にするために、種々のモジュールが異なる複数のセルを優先順位付けしそして区別するために使用されることが出来る。分類器３０２は１次品質尺度の関数として複数のセル（例えば、主セル、補助セル、等々）に優先順位を付けることが出来る。更に、アレンジャー（arranger）３０４は２次品質尺度の関数として複数のセルに優先順位を付けることが出来る。別個の構成要素として示されるけれども、分類器３０２とアレンジャー３０４は単一のモジュールとして機能することが出来る。レベラ（leveler）３０６は１次品質尺度のセル優先順位を２次品質尺度のセル優先順位に対して比較検討することが出来て、該比較検討の結果が選択において使用される。
【００４１】
単一のセルが１次品質尺度と２次品質尺度の最高優先順位を有することがあり得る。この場合、レベラ３０６は自動的に選択のための最高優先順位セルを指定することが出来る。しかしながら、もし異なる複数の最高優先順位があるならば、この場合何れのセルが利用されるべきかに関して決定が行われることが出来る。これは少なくとも１つにおいて最高優先順位であるセル、最高の優先順位平均を持つセル、及び類似のセルを含むことが出来る。更に、レベラ３０６は同点が生じる場合に区別するための論理（例えば、より重要な要因を選択、無作為選択、及び類似の選択）を含むことが出来る。
【００４２】
１つの実施形態に従えば、レベラ３０６は、重み係数の使用によって、１次品質尺度のセル優先順位を２次品質尺度のセル優先順位に対して比較検討することが出来る。例えば、１次品質尺度は２次品質尺度の２倍の重みを与えられることが出来る。レベラ３０６はアルゴリズムを使用して指定のためのセルを決定することが出来る。
【００４３】
ここに図４を参照して、実例のシステム４００はモバイル機器２０２の間でセルを切り替えるために機能することが出来る。モバイル機器２０２と基地局２０４は、前述で論じられたように、評価器２０６、指定器２１２、識別器２１４、及び／又は、エンゲージャ２１８、を介して互いに係り合うことが出来る。通常、利用者は無線通信に際して  セルを利用していることが出来て、この場合該利用されるセルはサービシング・セル（servicing cell）と呼ばれることが出来る。認識器（recognizer）４０２はサービシング・セルを識別することが出来る、この場合該サービシング・セルは主セルとして指定されることが出来る。１つの実施形態によれば、通信に一セル上で保有させるべき利益があり得る。従って、補助セルに対する１次品質尺度と２次品質尺度の双方が向上するというような、格別の理由がない限り、（例えば、主セルから補助セルに移される通信のような）異なるセルが選択される及び／又は実現されることはない。
【００４４】
チェッカー（checker）４０４は補助セルがサービシング・セルと比べてより高い１次品質尺度とより高い２次品質尺度を有するかどうかを判定することが出来る。通常、諸品質尺度の値が取り込まれて比較されることが出来て、該比較の結果が分析される。品質尺度は、数値、水準（例えば、高、中、低）、状態（例えば、オン／オフ）、等々として、表わされることが出来る。選択器４０６は、もし補助セルがサービシング・セルと比べてより高い１次品質尺度とより高い２次品質尺度を有するならば、利用のために補助セルを選択することが出来る。しかしながら、もし補助セルがサービシング・セルと比べてより高い１次品質尺度とより高い２次品質尺度を有しないならば、ストッパー（stopper）４０８はサービシング・セルとして主セルを保持する（例えば、モバイル機器に保持するように仕向ける）ことが出来る。従って、該チェッカーは制御機として機能することが出来る、この場合、該判定に基づくアクティブ信号が選択器４０６及び／又はストッパー４０８に供給されることが出来る。１より多くのセルがサービシング・セルよりも良好である可能性があり得る。従って、もしサービシング・セルと比べてより高い１次品質尺度とより高い２次品質尺度を有する補助セルが１より多くあるならば、１セルを利用のために指定する、指名器（assignor）４１０が使用されることが出来る。
【００４５】
ここに、無線通信に関して諸セルに優先順位を付けるための実例のシステム５００、図５を参照する。モバイル機器２０２と基地局２０４は、前述で論じられたように、評価器２０６、指定器２１２、識別器２１４、及び／又は、エンゲージャ２１８、を介して互いに係り合うことが出来る。諸セルの比較に基づいて、諸セルを互いから区別するために優先順位が使用されることが出来る。プレーサ（placer）５０２は、１次品質尺度と２次品質尺度の関数として、主セルと少なくとも１つの補助セルに優先順位を付けることが出来る―通常、最高優先順位のセルが選択される。優先順位付けは従属的であることが出来るし（例えば、セルＡがセルＢより量‘ｘ’だけ大であると、優先順位は‘ｘ’を考慮する）、或いは独立的であることも出来る（例えば、もしセルＡがセルＢよりも高位であるならば、その場合、セルＢがセルＡよりどれだけ高位であるかに無関係に、セルＡは優先順位‘ｙ’を与えられ、他方セルＢは優先順位‘ｙ＋１’を与えられる）。
【００４６】
一旦優先順位付けされると、確認器（confirmer）５０４は、ある優先順位付けされたセルが最高の１次品質尺度と最高の２次品質尺度を有するかどうか、をチェックすることが出来る。もしあるセルが他の諸セルより高い品質尺度を有するならば、その場合該セルは自動的に選択されることが出来る（例えば、全てのカテゴリーで最高に優先順位付けされるセルは従って最高優先順位のセルである）。設定次第で、同点が含まれる又は排除されることが出来る。従って最高の１次品質尺度と最高の２次品質尺度を持つセルが選ばれることが出来る。計算器（calculator）５０６は、通常、モバイル機器２０２によって利用されるセルの、１次品質尺度または２次品質尺度を測定するために、使用されることが出来る。これはサービシング・セルを提供する基地局（例えば、基地局２０４）との無用な通信を節約することが出来る（従って、例えば、リソースを節約することが出来る）。計算器５０６の測定値は評価器２０６、指定器２１２、確認器５０４、計算器５０６、モバイル機器２０２に関係するその他の構成要素、等々によって使用されることが出来る。
【００４７】
図６〜図９を参照すると、セル選択に関する方法が例示される。説明の簡明性を期する目的で、該方法は一連の作業として図示され説明されるけれども、該方法は諸作業の順序によっては限定されないことが理解され認識されるべきである、というのは、１又は複数の実施形態に従えば、ある複数の作業は、本図で図示され説明される作業とは異なる順序で、及び／又は、異なる作業と同時に、行われるからである。例えば、当業者等は、方法は本図に代わって、状態遷移図におけるように、一連の相互に関係する状態または事象として表わされることが出来ることを、理解し認識する。更に、１又は複数の実施形態によると、必ずしもすべての例示された作業が方法を実行するために要求されることが出来るとは限らない。
【００４８】
ここに図６を参照すると、モバイル機器に対し品質尺度を作るための実例の方法６００が開示される。アクション６０２では、モバイル機器への通信のための１次品質尺度と２次品質尺度を決定することが可能である。これは、利用者の要求、人工知能の判定、他の基地局から転送される情報の観測によって行われ、中央ホスト及び類似システムを介して提供されることが出来る。
【００４９】
イベント６０４では、１次品質尺度と２次品質尺度を測定することが行われることが出来る。１つの実施形態によれば、種々の品質尺度の測定がアクション６０２から誘発されることなく行われることが出来る。アクション６０２が処理される場合、測定される情報が指定される。しかしながら、決定がなされると測定が実行され、そして他の場合はアイドルに設定されることも出来る。
【００５０】
品質尺度情報は操作６０６で発信されることが出来る。従って、１次品質尺度と２次品質尺度を転送することが可能である。情報の転送は連続的（例えば、情報が収集されるのと同時）である、完了と同時に実行される、品質尺度およびその類似尺度の完了と同時に実行される、ことが出来る。１つの構成によれば、１次品質尺度は信号対雑音比または信号対電力比であり、そして、２次品質尺度は信号対雑音比または信号対電力比であって、この場合、１次品質尺度と２次品質尺度とは異なる。
【００５１】
ここに図７を参照すると、優先順位を比較することに基づいてセルを選択するための実例の方法７００が開示される。異なる優先順位付けが、品質尺度を変えることに基づいて、追跡されることが出来る（例えば、信号対雑音比に対する１つの優先順位付け、信号対電力比に対する別の優先順位付け、等々）。操作７０２は１次品質の関数としてセルに優先順位を付けることを表すことが出来る、他方、イベント７０４は２次品質の関数としてセルに優先順位を付けることを表す。
【００５２】
１つのセルが全ての測定基準でより高い優先順位にあることが可能である―チェック７０６は、通常迅速比較によって、これが該当するかどうかを判定することが出来る。もし絶対的な最良セルがない場合、イベント７０８において（例えば、重み因子の使用によって）１次品質尺度のセル優先順位の２次品質尺度のセル優先順位に対する比較検討が行われることが出来る。操作７１０によって、主セルの１次品質尺度と２次品質尺度の、少なくとも１つの補助セルの１次品質尺度と２次品質尺度に対する、比較が可能である。結局、イベント７１２では、もし絶対的な最良セルが、チェック７０６によって決定される場合、操作７１０の比較及び類似の操作によって特定される場合、及び類似の場合、該比較の結果の関数として利用のためのセルを選択することが可能である。
【００５３】
ここに図８を参照して、１つのセルを離れて別のセルに向かうことに関して通信セッションを管理することに関係する実例の方法８００が開示される。操作８０２では、通信セッションがあるモバイル機器に対してアクティブであるかどうか、の判定が行われることが出来て、もしアクティブな通信セッションがあるならば、その場合サービシング・セルを特定することが可能である。１つの実施形態によれば、該サービシング・セルは主セルとして指定されることが出来る。
【００５４】
アクション８０４では、諸セル（例えば、主セル、少なくとも１つの補助セル、等々）が分析されることが出来る、そして、チェック８０６では、ある補助セルが該サービシング・セルと比べてより高い１次品質尺度とより高い２次品質尺度を有するかどうかを判定することが可能である。該判定は、主セルの１次品質尺度と２次品質尺度を少なくとも１つの補助セルの１次品質尺度と２次品質尺度に対して比較することによって、行われることが出来る。もし別のセルがより良好であるとは考えられないならば（例えば、全ての測定基準がサービシング・セルのそれ等よりも大であるわけではない、あるセルは重み因子の適用後はより良好にはならない、等々）、その場合、方法８００は操作８０８に移行して、もし該補助セルが該サービシング・セルと比べてより高い１次品質尺度とより高い２次品質尺度を有しないならば、サービシング・セルとして該主セルを維持することが出来る。
【００５５】
もしより良好である別のセルがあるならば、その場合、１より多数の改善されたセルがあるかどうかを判定するために、チェック８１０が実行されることが出来る。複数の改善されたセルがある場合、操作８１２では、利用のためのセルを指定することが可能である。従って、この操作は、サービシング・セルと比べてより高い１次品質尺度とより高い２次品質尺度を有する１より多くの補助セルがある場合に、行われることが出来る。チェック８１０において１を超えるセルがないと判定して、あるセルを指定した後、操作８１４では、もし補助セルが該サービシング・セルと比べてより高い１次品質尺度とより高い２次品質尺度を有するならば、利用のために該補助セルを選ぶことが可能である。操作８１４は、該比較の結果の関数として、利用のためのセルを選択する機能を果たすことが出来る。
【００５６】
ここに、無線通信で利用されるセルに関する品質測定基準を測定するための実例の方法９００、図９を参照する。ブロック９０２では、少なくとも１つのセルに対して、１次品質尺度または２次品質尺度を測定することが可能である。操作９０４では、主セルの１次品質尺度と２次品質尺度を少なくとも１つの補助セルの１次品質尺度と２次品質尺度に対して比較することが可能である。該比較される尺度はブロック９０２の実行によって獲得されることが出来る。
【００５７】
該比較に基づいて、チェック９０６が、主セルよりも良好である別のセルがあるかどうかを判定するために、実行されることが出来る。もし別のセルがより良好であると指定されるならば、その場合、操作９０８において、別のセルが選択されることが出来る。しかしながら、もしチェック９０６がより良好なセルはないと判定するならば、その場合、イベント９１０において、サービシング・セルは維持されることが出来る。操作９０８及び／又はイベント９１０は、該比較の結果の関数として、利用のためのセルを選択する機能を果たすことが出来る。
【００５８】
本明細書記載の１又は複数の態様に従って、選択すべき特定のセル、品質尺度に与えられる重み、等々に関して推論が行われることが出来る、と云うことが認識される。本明細書で使用されるように、用語“推論すること”又は“推論”は、一般に、諸事象及び／又はデータを介して獲得されるような観測情報の集合から、システム、環境、及び／又は利用者の状態を推理または推論する過程を指す。推論は特定の現在状況（context）又はアクションを識別するために用いられることが出来る、或いは、例えば、諸状態の確率分布を生成することが出来る。推論は確率的、―即ち、データと諸事象の考察に基づく、関心ある状態に関する確率分布の計算、であることが出来る。推論は又諸事象及び／又はデータの集合からより上位レベルの諸事象を創成するために用いられる技術を指すことも出来る。このような推論は結果として、観測された諸事象及び／又は記憶された事象データの集合から、該諸事象が直近の時間的近接性において相互に関連付けられるか否かに関わらず、及び、諸事象およびデータが１つの事象源およびデータ源から来たのかそれとも複数の源から来たのかに関わらず、新しい事象又はアクションの構成をもたらす。
【００５９】
一例によれば、上記で提示された１又は複数の方法は状況に部分的に基づいてセルを選択することに関係する推論を行うことを含む。更なる例示として、推論は、セル選択で使用すべき多数の品質尺度、通信における利用のための特定のセル、等々を選択することに関連して行われることが出来る。前述の諸例は本質的に例示的であって、行われることが出来る推論の数を限定するようには意図されない、又はそのような諸推論が本明細書記載の種々の実施形態及び／又は方法と関連して行われる方法を限定するようには意図されない、ということが認識される。
【００６０】
図１０は無線通信のためにセルの選択を容易にするモバイル機器１０００の例示図である。モバイル機器１０００は、信号を例えば受信アンテナ（示されない）から受信する受信機１００２を具備する、そして、該受信された信号に該受信機上で一般的な処理（例えば、フィルタ処理、増幅、ダウンコンバート（downconvert）、等々）を実行し、該調整された信号をデジタル化してサンプルを取得する。受信機１００２は例えばＭＭＳＥ受信機であることが出来て、受信されたシンボルを復調しそれ等をチャネル推定のためにプロセッサ１００６に供給することが出来る、復調器１００４を具備することが出来る。プロセッサ１００６は、受信機１００２によって受信された情報を分析する、及び／又は、送信機１０１６による送信のための情報を生成する目的専用のプロセッサ、モバイル機器１０００の１又は複数のコンポーネントを制御するプロセッサ、及び／又は、受信機１００２によって受信された情報を分析し、送信機１０１６による送信のための情報を生成し、且つモバイル機器１０００の１又は複数のコンポーネントを制御するプロセッサ、であることが出来る。
【００６１】
モバイル機器１０００はメモリ１００８を更に具備することが出来て、該メモリ１００８はプロセッサ１００６に機能的に結合されて、送信されるべきデータ、受信されたデータ、利用可能なチャネルに関する情報、分析された信号及び／又は干渉強度に関連付けられるデータ、割り当てられたチャネル、電力、速度または類似の要素に関する情報、及びチャネルを推定して該チャネルを介して通信するための任意の他の適切な情報、を記憶することが出来る。メモリ１００８は更にチャネルを評価及び／又は利用すること（性能ベース、容量ベース、等々）に関連付けられるプロトコル及び／又はアルゴリズムを記憶することも出来る。
【００６２】
本明細書記載のデータ記憶器（例えば、メモリ１００８）は揮発性メモリ又は不揮発性メモリ何れかであることが出来る、或いは、揮発性メモリ及び不揮発性メモリ両者を含むことが出来るということが認識される。限定としてではなく例示として、不揮発性メモリは、読み出し専用メモリ（read only memory）（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）或いはフラッシュ・メモリを含むことが出来る。揮発性メモリは、外部キャッシュ・メモリとして動作する、ランダム・アクセス・メモリ（random access memory）（ＲＡＭ）を含むことが出来る。限定としてではなく例示として、ＲＡＭは、例えば、同期ＲＡＭ（synchronous RAM）（ＳＲＡＭ）、ダイナミックＲＡＭ（dynamic RAM）（ＤＲＡＭ）、同期ＤＲＡＭ（ＳＤＲＡＭ）、ダブル・データ・レート（double data rate）ＳＤＲＡＭ（ＤＤＲ  ＳＤＲＡＭ）、エンハンスト（enhanced）ＳＤＲＡＭ（ＥＳＤＲＡＭ）、シンクリンク（Synchlink）ＤＲＡＭ（ＳＬＤＲＡＭ）、及びダイレクト・ラムバス（direct Rambus）ＲＡＭ（ＤＲＲＡＭ）のような、多数の形態において利用可能である。本題のシステムと方法のメモリ１００８はこれ等と任意の他の適切な型のメモリを含むように意図されるが、それ等に限定されない。
【００６３】
プロセッサ１００２は更に評価器１０１０及び／又は指定器１０１２に機能的に結合される。評価器１０１０は主セルの１次品質尺度と２次品質尺度を少なくとも１つの補助セルの１次品質尺度と２次品質尺度に対して比較することが出来る。指定器１０１２は該比較の結果の関数として利用のためのセルを選択することが出来る。モバイル機器１０００は、更になお、変調器１０１４と、信号（例えば、ベースＣＱＩ及び差分ＣＱＩ）を、例えば、基地局、別のモバイル機器、等々に送信する、送信機１０１６を具備することが出来る。プロセッサ１００６とは分離して図示されているけれども、評価器１０１０及び／又は指定器１０１２はプロセッサ１００６の一部または複数のプロセッサ（図示されてない）の一部であることが出来る。
【００６４】
図１１はセルの利用を介する通信を容易にするシステム１１００の例示図である。システム１１００は、複数の受信アンテナ１１０６を介して１又は複数のモバイル機器１１０４から信号を受信する受信機１１１０及び複数の送信アンテナ１１０８を介して１又は複数のモバイル機器１１０４に送信する送信機１１２２を備える、基地局１１０２（例えば、接続点…）を具備する。受信機１１１０は受信アンテナ１１０６から情報を受信することが出来て、受信された情報を復調する復調器１１１２と機能的に結合されている、―実例の情報はＰＤＵ及び／又は制御ＰＤＵを含むことが出来る。復調されたシンボルはプロセッサ１１１４によって分析され、該プロセッサ１１１４は図１０に関して上記で説明されたプロセッサに類似することが可能で、メモリ１１１６に結合される。該メモリ１１１６は、信号（例えば、パイロット）強度及び／又は干渉強度を評価することに関する情報、モバイル機器１１０４（又は異なる基地局（図示されてない））に送信されるべき又は該機器から受信されるべきデータ、及び／又は本明細書に記載された種々のアクションと機能を実行することに関する任意の他の適切な情報、を記憶する。
【００６５】
プロセッサ１１１４は、更に、識別器１１１８及び／又はエンゲージャ１１２０に結合される。識別器１１１８はモバイル機器への通信のために１次品質尺度と２次品質尺度を決定することが出来る。エンゲージャ１１２０は１次品質尺度と２次品質尺度を転送することが出来る。プロセッサ１１１４とは分離して図示されているけれども、識別器１１１８及び／又はエンゲージャ１１２０はプロセッサ１１１４の一部または複数のプロセッサ（図示されてない）の一部であることが出来る、ということが認識されるべきである。
【００６６】
図１２は実例の無線通信システム１２００を示す。無線通信システム１２００は、簡明を期するため、１つの基地局１２１０と１つのモバイル機器１２５０を図示する。しかしながら、システム１２００は１より多くの基地局及び／又は１より多くのモバイル機器を含むことが出来ることが認識されるべきである、ここに、追加の基地局及び／又はモバイル機器は下記に説明される実例の基地局１２１０とモバイル機器１２５０と実質的に同類であり得る或いはそれ等とは異なることもあり得る。更に、基地局１２１０及び／又はモバイル機器１２５０はそれ等の間の無線通信を容易にするために本明細書記載のシステム（図１〜図５及び図１０〜図１１）及び／又は方法（図６〜図９）を使用することが出来る。
【００６７】
基地局１２１０では複数のデータ・ストリームに対するトラフィック・データがデータ源１２１２から送信（ＴＸ）データ・プロセッサ１２１４に供給される。一実例によれば、それぞれのデータ・ストリームはそれぞれ対応するアンテナを介して送信されることが出来る。ＴＸデータ・プロセッサ１２１４は、該データ・ストリームに対して選択された特定の符号化方式に基づいて、該トラフィック・データ・ストリームをフォーマットし、符号化し、そしてインターリーブして、符号化されたデータを供給する。
【００６８】
それぞれのデータ・ストリームに対する符号化データは直交周波数分割多重（ＯＦＤＭ）技術を用いてパイロット・データと多重化されることが出来る。更に、又は、それに代わって、パイロット・シンボルは周波数分割多重化（ＦＤＭ）、時分割多重化（ＴＤＭ）、又は符号分割多重化（ＣＤＭ）されることが出来る。該パイロット・データは公知の方法で処理される一般的には公知のデータ・パターンであって、チャネル応答を推定するためにモバイル機器１２５０で使用されることが出来る。それぞれのデータ・ストリームに対する多重化されたパイロット・データと符号化データは、変調シンボルを供給するために、該データ・ストリームに対して選択された特定の変調方式（例えば、２相位相偏移変調（binary phase-shift keying）（ＢＰＳＫ）、４相位相偏移変調（quadrature phase-shift keying）（ＱＰＳＫ）、Ｍ相位相偏移変調（M-phase-shift keying）（Ｍ−ＰＳＫ）、Ｍ値直交振幅変調（M-quadrature amplitude modulation）（Ｍ−ＱＡＭ）、等々）に基づいて変調される（例えば、シンボル・マッピングされる）ことが出来る。それぞれのデータ・ストリームに対するデータ転送速度、符号化、及び変調はプロセッサ１２３０によって実行される又は供給される命令によって決定されることが出来る。
【００６９】
データ・ストリームに対する変調シンボルはＴＸ  ＭＩＭＯプロセッサ１２２０に供給されることが出来て、該プロセッサ１２２０は（例えば、ＯＦＤＭのために）該変調シンボルを更に処理することが出来る。次に、ＴＸ  ＭＩＭＯプロセッサ１２２０はＮＴ個の変調シンボル・ストリームをＮＴ個の送信機（ＴＭＴＲ）１２２２ａ〜１２２２ｔに供給する。種々の実施形態では、ＴＸ  ＭＩＭＯプロセッサ１２２０は、データ・ストリームのシンボルと該シンボルが送信されているアンテナに対して、ビームフォーミング重みを適用する。
【００７０】
各送信機１２２２はそれぞれのシンボル・ストリームを受信および処理して１又は複数のアナログ信号を供給する、そして、該アナログ信号を更に調整して（例えば、増幅、フィルタ処理、及びアップコンバートして）ＭＩＭＯチャネルを介する伝送にとって好適な変調信号を供給する。更に、送信機１２２２ａ〜１２２２ｔからのＮＴ個の変調信号はそれぞれ対応するＮＴ個のアンテナ１２２４ａ〜１２２４ｔから送信される。
【００７１】
モバイル機器１２５０では、該送信された変調信号がＮＲ個のアンテナ１２５２ａ〜１２５２ｒによって受信されて、それぞれのアンテナ１２５２から受信された信号はそれぞれ対応する受信機（ＲＣＶＲ）１２５４ａ〜１２５４ｒに供給される。各受信機１２５４はそれぞれの信号を調整（例えば、フィルタ処理、増幅、及びダウンコンバート）し、該調整された信号をデジタル化してサンプルを供給し、そして更に該サンプルを処理して対応する“受信された”シンボル・ストリームを供給する。
【００７２】
ＲＸデータ・プロセッサ１２６０はＮＲ個の受信機１２５４からのＮＲ個の受信シンボル・ストリームを受信しそして、特定の受信機処理技術に基づいて、処理してＮＴ個の“検出された”シンボル・ストリームを供給することが出来る。ＲＸデータ・プロセッサ１２６０はそれぞれの検出されたシンボル・ストリームを復調、逆インターリーブ、及び復号して、該データ・ストリームに対するトラフィック・データを復元する。ＲＸデータ・プロセッサ１２６０による処理は、基地局１２１０においてＴＸ  ＭＩＭＯプロセッサ１２２０とＴＸデータ・プロセッサ１２１４によって実行される処理に相補的である。
【００７３】
プロセッサ１２７０は上記で論じられたように何れのプリコーディング・マトリクスを使用すべきかを周期的に決定することが出来る。更に、プロセッサ１２７０はマトリクス・インデックス部分とランク値部分を具備する逆方向リンク・メッセージを定式化することが出来る。
【００７４】
逆方向リンク・メッセージは通信回線及び／又は受信されたデータ・ストリームに関する種々の型の情報を含むことが出来る。逆方向リンク・メッセージは、データ源１２３６から複数のデータ・ストリームのためのトラフィック・データを受信もする、ＴＸデータ・プロセッサ１２３８によって処理され、変調器１２８０によって変調され、送信機１２５４ａ〜１２５４ｒによって調整され、そして、基地局１２１０に返信されることが出来る。
【００７５】
基地局１２１０では、モバイル機器１２５０からの変調された信号はアンテナ１２２４によって受信され、受信機１２２２によって調整され、復調器１２４０によって復調され、そして、ＲＸデータ・プロセッサ１２４２によって処理されて、モバイル機器１２５０によって送信された逆方向リンクメッセージを抽出する。更に、プロセッサ１２３０は該抽出されたメッセージを処理して、ビームフォーミング重みを決定するために何れのプリコーディング・マトリクスを使用するべきか、を決定することが出来る。
【００７６】
プロセッサ１２３０と１２７０は、それぞれ、基地局１２１０とモバイル機器１２５０における操作を命令（例えば、制御、調整、管理、等々）することが出来る。それぞれのプロセッサ１２３０と１２７０は、プログラム・コードとデータを記憶する、メモリ１２３２と１２７２と結合されることが出来る。プロセッサ１２３０と１２７０は又それぞれ上り回線および下り回線に対する周波数応答評価とインパルス応答評価を導出するための計算を実行することも出来る。
【００７７】
本明細書で説明された諸実施形態はハードウェア、ソフトウェア、ファームウェア、ミドルウェア、マイクロコード、或いはこれらの任意の組合せにおいて実装されることが出来る、と云うことが理解されるべきである。ハードウェア実装に関しては、複数の処理ユニットが、１又は複数の特定用途向け集積回路（application specific integrated circuit）（ＡＳＩＣ）、デジタル信号プロセッサ（ＤＳＰ）、デジタル信号処理装置（digital signal processing devices）（ＤＳＰＤ）、プログラマブル・ロジック装置（programmable logic devices）（ＰＬＤ）、フィールド・プログラマブル・ゲート・アレイ（field programmable gate arrays）（ＦＰＧＡ）、プロセッサ、制御器、マイクロ制御器、マイクロプロセッサ、本明細書中で説明された諸機能を実行するように設計された他の電子ユニット、又はそれ等の組合せ、の内部で実装されることが可能である。
【００７８】
諸実施形態がソフトウェア、ファームウェア、ミドルウェア又はマイクロコード、プログラム・コード又はコード・セグメント中に実装される場合、該諸実施形態は記憶コンポーネントのような、機械可読媒体中に記憶されることが出来る。コード・セグメントは、プロシージャ（procedure）、関数、サブプログラム、プログラム、ルーチン、サブルーチン、モジュール、ソフトウェア・パッケージ、クラス、或いは、命令、データ構造、又はプログラム文の任意の組合せ、を表すことが出来る。コード・セグメントは、情報、データ、引数、パラメータ、又はメモリ内容を渡す及び／又は受信することによって、別のコード・セグメント又はハードウェア回路に結合されることが出来る。情報、引数、パラメータ、データ等々は、メモリ・シェアリング（memory sharing）、メッセージ・パッシング、トークン・パッシング、ネットワーク伝送、等々を含む任意の適切な手段を利用して、渡され、転送され、又は伝送されることが出来る。
【００７９】
ソフトウェア実装に対しては、本明細書記載の諸技術は本明細書記載の諸機能を実行するモジュール（例えば、プロシージャ、関数、等々）を用いて実装されることが出来る。ソフトウェア・コードはメモリ・ユニットで記憶されてプロセッサによって実行されることが出来る。メモリ・ユニットはプロセッサの内部またはプロセッサの外部に実装されることが出来て、後者の場合、該ユニットは同業者に公知の種々の手段を介して該プロセッサに通信的に結合されることが出来る。
【００８０】
図１３を参照すると、セルの利用による通信を有効にするシステム１３００が例示される。例えば、システム１３００はモバイル機器の内部に少なくとも部分的に常駐することが出来る。システム１３００が機能ブロックを含むものとして表わされていることは認識されるべきであり、該機能ブロックはプロセッサ、ソフトウェア、或いはこれ等の組合せ（例えば、ファームウェア）によって実行される機能を表す機能ブロックであることが出来る。システム１３００は、連携して動作することが出来る複数の電気コンポーネントの論理的グルーピング１３０２を含む。例えば、論理的グルーピング１３０２は主セルの１次品質尺度と２次品質尺度を少なくとも１つの補助セルの１次品質尺度と２次品質尺度に対して比較する電気的コンポーネント１３０４を含むことが出来る。その上、論理的グルーピング１３０２は利用のためのセルを該比較の結果の関数として選択するための電気的コンポーネント１３０６を含むことが出来る。
【００８１】
論理的グルーピング１３０２は又、１次品質尺度と２次品質尺度の関数として主セルと少なくとも１つの補助セルに優先順位を付ける（例えば、最高優先順位のセルが選択される）ための（例えば、論理的グルーピング１３０２及び／又は論理的グルーピング１３０４を通して本質的な）電気的コンポーネント、優先順位を付けられたセルが最高の１次品質尺度と最高の２次品質尺度を有するかどうかをチェックする（例えば、最高の１次品質尺度と最高の２次品質尺度を持つセルが選択される）ための電気的コンポーネント、１次品質尺度の関数としてセルに優先順位を付けるための電気的コンポーネント、２次品質尺度の関数としてセルに優先順位を付けるための電気的コンポーネント、１次品質尺度のセル優先順位を２次品質尺度のセル優先順位に対して比較検討するための電気的コンポーネント、サービシング・セル、該サービシング・セルは主セルである、を特定するための電気的コンポーネント、ある補助セルが該サービシング・セルと比べてより高い１次品質尺度とより高い２次品質尺度を有するかどうかを判定するための電気的コンポーネント、もし該補助セルが該サービシング・セルと比べてより高い１次品質尺度とより高い２次品質尺度を有するならば該補助セルを利用のために選択するための電気的コンポーネント、もし該補助セルが該サービシング・セルと比べてより高い１次品質尺度とより高い２次品質尺度を有しないならば主セルをサービシング・セルとして維持するための電気的コンポーネント、もし該サービシング・セルと比べてより高い１次品質尺度とより高い２次品質尺度を有する補助セルが１より多くある場合利用のためのセルを指定するための電気的コンポーネント、１次品質尺度と２次品質尺度を測定するための電気的コンポーネント、及び類似の電気的コンポーネントを含むことが出来る。１つの実施形態によれば、１次品質尺度は信号対雑音比または信号対電力比であり、そして、２次品質尺度は信号対雑音比または信号対電力比であって、１次品質尺度と２次品質尺度とは異なる。又、１次品質尺度のセル優先順位を２次品質尺度のセル優先順位に対して比較検討するための電気的コンポーネントは重み係数の使用によって機能することが出来る。更に、システム１３００は電気的コンポーネント１３０４と１３０６に関連付けられる諸機能を実行するための命令を保持するメモリ１３０８を含むことが出来る。メモリ１３０８の外部に図示されているけれども、電気的コンポーネント１３０４と１３０６の内の１又は複数はメモリ１３０８の内部にあることが出来る、ということは理解されるべきである。
【００８２】
図１４に転じると、ＰＤＵの処理を有効化し、そして、伝送が良好に行くかどうかに関して少なくとも１つの操作を実行する、システム４００が例示される。例えば、システム１４００はモバイル機器の内部に少なくとも部分的に常駐することが出来る。システム１４００は、プロセッサ、ソフトウェア、或いはこれ等の組合せ（例えば、ファームウェア）によって実行される機能を表す機能ブロックであることが出来る、機能ブロックを含むものとして表わされていることは認識されるべきである。システム１４００は、連携して動作することが出来る複数の電気的コンポーネントの論理的グルーピング１４０２を含む。例えば、論理的グルーピング１４０２は制御プロトコル・データ・ユニットを認証するための電気的コンポーネント１４０４を含むことが出来る。その上、該論理的グルーピング１４０２は、制御プロトコル・データ・ユニットを送るモジュールに対して通報を作成して制御プロトコル・データ・ユニットの認証が成功した時カウンタをリセットするための電気的コンポーネント１４０６を含むことが出来る。
【００８３】
該論理的グルーピング１４０２は又、該モジュールに該通報を転送するための電気的コンポーネント、該制御プロトコル・データ・ユニットを集めるための電気的コンポーネント、及び／又は、該集められた制御プロトコル・データから識別データ、該識別データは該モジュールに該通報を転送するに際して使用される、を抽出するための電気的コンポーネント、を含むことが出来る。これ等のコンポーネントは、制御プロトコル・データ・ユニットを認証するための電気的コンポーネント１４０４及び／又は制御プロトコル・データ・ユニットを送るモジュールに対して通報を提供して該制御プロトコル・データ・ユニットの認証が成功した時カウンタをリセットするための電気的コンポーネント１４０６の一部として、独立したエンティティ及び類似の物として、統合することが出来る。メモリ１４０８の外部に図示されているけれども、電気的コンポーネント１４０４と１４０６はメモリ１４１０の内部にあることが出来る。
【００８４】
上記で説明されたことは１又は複数の実施形態の諸例を含む。前記の諸実施形態を説明するという目的のために、諸コンポーネント或いは諸方法の全ての考えられる組合せを説明することは、無論、不可能である。しかし、当業者は、種々の実施形態の多数の更なる組合せと並べ替えが可能であることを、理解することが出来る。従って、説明された諸実施形態は、添付された請求項の精神と範囲の中に入る、全てのそのような変更、修正、及び、変型を包含すると意図される。更に、用語“含む（include）”が詳細な説明または請求項で使用される限り、そのような用語は、“具備する（comprising）”が請求項において移行語として使用されるときに解釈される場合の、用語“具備する（comprising）”と同様な意味で、含むである、と意図される。
【図１】
2010531098.tif 000003
【図２】
2010531098.tif 000004
【図３】
2010531098.tif 000005
【図４】
2010531098.tif 000006
【図５】
2010531098.tif 000007
【図６】
2010531098.tif 000008
【図７】
2010531098.tif 000009
【図８】
2010531098.tif 000010
【図９】
2010531098.tif 000011
【図１０】
2010531098.tif 000012
【図１１】
2010531098.tif 000013
【図１２】
2010531098.tif 000014
【図１３】
2010531098.tif 000015
【図１４】
2010531098.tif 000016
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
通信利用のためにセルを決定するための方法であって、
主セルの１次品質尺度と２次品質尺度を少なくとも１つの補助セルの１次品質尺度と２次品質尺度に対して比較すること、
該比較の結果の関数として利用のためのセルを選択すること、及び
１次品質尺度および２次品質尺度の関数として主セルおよび少なくとも１つの補助セルについて優先順位を付けすることを含み、最も高い優先順位のセルが選択され、そして主セルおよび少なくとも１つの補助セルについて優先順位を付けることは、
該1次品質尺度のセル優先順位を該２次品質尺度のセル優先順位に対しつり合わせることを含む
方法。
【請求項２】
１次品質尺度は信号対雑音比または信号対電力比である、請求項１の方法。
【請求項３】
２次品質尺度は信号対雑音比または信号対電力比であり、１次品質尺度と２次品質尺度は同じ比ではない、請求項２の方法。
【請求項４】
優先順位を付けられたセルが最高の１次品質尺度と最高の２次品質尺度を有するかどうかをチェックすることを更に具備し、最高の１次品質尺度と最高の２次品質尺度を持つセルが選択される、請求項１の方法。
【請求項５】
１次品質尺度のセル優先順位を２次品質尺度のセル優先順位に対して比較検討することは重み係数の使用によって実行される、請求項１の方法。
【請求項６】
該比較の結果の関数として利用のためのセルを選択することは、
サービシング・セルを識別すること、該サービシング・セルは主セルである
ある補助セルが該サービシング・セルと比較してより高い１次品質尺度とより高い２次品質尺度を有するかどうかを判定すること、
もし該補助セルが該サービシング・セルと比較してより高い１次品質尺度とより高い２次品質尺度を有するならば、該補助セルを利用のために選択すること、及び
もし該補助セルが該サービシング・セルと比較してより高い１次品質尺度とより高い２次品質尺度を有しないならば、該主セルをサービシング・セルとして維持すること
を具備する、請求項１の方法。
【請求項７】
該サービシング・セルと比較してより高い１次品質尺度とより高い２次品質尺度を有する補助セルが１より多くあるならば、１セルを利用のために指定することを更に具備する、請求項６の方法。
【請求項８】
１次品質尺度または２次品質尺度を測定することを更に具備する、請求項１の方法。
【請求項９】
無線通信装置であって、
主セルの１次品質尺度と２次品質尺度を少なくとも１つの補助セルの１次品質尺度と２次品質尺度に対して比較する評価器、
該比較の結果の関数として利用のためのセルを選択する指定器、及び
該１次品質尺度および該２次品質尺度の関数として該主セルおよび該少なくとも１つの補助セルについて優先順位付けをし、最も高い優先順位のセルが選択されるプレーサを含み、そしてここで該プレーサは
該１次品質尺度のセル優先順位を該２次品質尺度に対しつり合わせるレベラをさらに含む
装置。
【請求項１０】
１次品質尺度は信号対雑音比または信号対電力比である、請求項９の装置。
【請求項１１】
２次品質尺度は信号対雑音比または信号対電力比であり、１次品質尺度と２次品質尺度は同じ比ではない、請求項１０の装置。
【請求項１２】
優先順位を付けられたセルが最高の１次品質尺度と最高の２次品質尺度を有するかどうかをチェックする確認器を更に具備し、最高の１次品質尺度と最高の２次品質尺度を持つセルが選択される、請求項９の装置。
【請求項１３】
該レベラは重み係数の使用によって１次品質尺度のセル優先順位を２次品質尺度のセル優先順位に対して比較検討するレベラである、請求項９の装置。
【請求項１４】
該比較の結果の関数として利用のためのセルを選択することは、
サービシング・セルを識別する認識器、該サービシング・セルは主セルである
ある補助セルが該サービシング・セルと比較してより高い１次品質尺度とより高い２次品質尺度を有するかどうかを判定するチェッカー、
もし該補助セルが該サービシング・セルと比較してより高い１次品質尺度とより高い２次品質尺度を有するならば、該補助セルを利用のために選択する選択器、及び
もし該補助セルが該サービシング・セルと比較してより高い１次品質尺度とより高い２次品質尺度を有しないならば、該主セルをサービシング・セルとして維持するストッパー
を具備する、請求項９の装置。
【請求項１５】
該サービシング・セルと比較してより高い１次品質尺度とより高い２次品質尺度を有する補助セルが１より多くあるならば、１セルを利用のために指定する指名器を更に具備する、請求項１４の装置。
【請求項１６】
１次品質尺度または２次品質尺度を測定する計算器を更に具備する、請求項９の装置。
【請求項１７】
無線通信装置であって、
主セルの１次品質尺度と２次品質尺度を少なくとも１つの補助セルの１次品質尺度と２次品質尺度に対して比較するための手段、
該比較の結果の関数として利用のためのセルを選択するための手段、及び
１次品質尺度および２次品質尺度の関数として主セルおよび少なくとも１つの補助セルについて優先順位を付けする手段を含み、最も高い優先順位のセルが選択され、そして主セルおよび少なくとも１つの補助セルについて優先順位を付けることは、
該1次品質尺度のセル優先順位を該２次品質尺度のセル優先順位に対しつり合わせる手段を含む
装置。
【請求項１８】
１次品質尺度は信号対雑音比または信号対電力比である、請求項１７の装置。
【請求項１９】
２次品質尺度は信号対雑音比または信号対電力比であり、１次品質尺度と２次品質尺度は同じ比ではない、請求項１８の装置。
【請求項２０】
優先順位を付けられたセルが最高の１次品質尺度と最高の２次品質尺度を有するかどうかをチェックするための手段を更に具備し、最高の１次品質尺度と最高の２次品質尺度を持つセルが選択される、請求項１７の装置。
【請求項２１】
重み係数の使用によって１次品質尺度のセル優先順位を２次品質尺度のセル優先順位に対して比較検討するための手段である、請求項１７の装置。
【請求項２２】
該比較の結果の関数として利用のためのセルを選択することは、
サービシング・セルを識別するための手段、該サービシング・セルは主セルである
ある補助セルが該サービシング・セルと比較してより高い１次品質尺度とより高い２次品質尺度を有するかどうかを判定するための手段、
もし該補助セルが該サービシング・セルと比較してより高い１次品質尺度とより高い２次品質尺度を有するならば、該補助セルを利用のために選択するための手段、及び
もし該補助セルが該サービシング・セルと比較してより高い１次品質尺度とより高い２次品質尺度を有しないならば、該主セルをサービシング・セルとして維持するための手段
を具備する、請求項１７の装置。
【請求項２３】
該サービシング・セルと比較してより高い１次品質尺度とより高い２次品質尺度を有する補助セルが１より多くあるならば、１セルを利用のために指定するための手段を更に具備する、請求項２２の装置。
【請求項２４】
１次品質尺度または２次品質尺度を測定するための手段を更に具備する、請求項１７の装置。
【請求項２５】
機械可読媒体であって、
主セルの１次品質尺度と２次品質尺度を少なくとも１つの補助セルの１次品質尺度と２次品質尺度に対して比較するための、
該比較の結果の関数として利用のためのセルを選択するための、及び
１次品質尺度および２次品質尺度の関数として主セルおよび少なくとも１つの補助セルについて優先順位を付けするための命令を含み、最も高い優先順位のセルが選択され、そして主セルおよび少なくとも１つの補助セルについて優先順位を付けることは、
該1次品質尺度のセル優先順位を該２次品質尺度のセル優先順位に対しつり合わせるための命令を含む
機械実行可能命令を記憶した機械可読媒体。
【請求項２６】
１次品質尺度は信号対雑音比または信号対電力比である、請求項２５の機械可読媒体。
【請求項２７】
２次品質尺度は信号対雑音比または信号対電力比であり、１次品質尺度と２次品質尺度は同じ比ではない、請求項２６の機械可読媒体。
【請求項２８】
優先順位を付けられたセルが最高の１次品質尺度と最高の２次品質尺度を有するかどうかをチェックするための命令を更に具備し、最高の１次品質尺度と最高の２次品質尺度を持つセルが選択される、請求項２５の機械可読媒体。
【請求項２９】
１次品質尺度のセル優先順位を２次品質尺度のセル優先順位に対して比較検討することは重み係数の使用によって実行される、請求項２５の機械可読媒体。
【請求項３０】
該比較の結果の関数として利用のためのセルを選択することは、
サービシング・セルを識別するための、該サービシング・セルは主セルである
ある補助セルが該サービシング・セルと比較してより高い１次品質尺度とより高い２次品質尺度を有するかどうかを判定するための、
もし該補助セルが該サービシング・セルと比較してより高い１次品質尺度とより高い２次品質尺度を有するならば、該補助セルを利用のために選択するための、及び
もし該補助セルが該サービシング・セルと比較してより高い１次品質尺度とより高い２次品質尺度を有しないならば、該主セルをサービシング・セルとして維持するための
命令を具備する、請求項２５の機械可読媒体。
【請求項３１】
該サービシング・セルと比較してより高い１次品質尺度とより高い２次品質尺度を有する補助セルが１より多くあるならば、１セルを利用のために指定するための命令を更に具備する、請求項３０の機械可読媒体。
【請求項３２】
１次品質尺度または２次品質尺度を測定するための命令を更に具備する、請求項２５の機械可読媒体。
【請求項３３】
無線通信システムにおける装置であって、
主セルの１次品質尺度と２次品質尺度を少なくとも１つの補助セルの１次品質尺度と２次品質尺度に対して比較するように、
該比較の結果の関数として利用のためのセルを選択するように、及び
１次品質尺度および２次品質尺度の関数として主セルおよび少なくとも１つの補助セルについて優先順位を付けするように構成されたプロセッサを含み、最も高い優先順位のセルが選択され、そして主セルおよび少なくとも１つの補助セルについて優先順位を付けることを可能にするため該プロセッサは、
さらに該1次品質尺度のセル優先順位を該２次品質尺度のセル優先順位に対しつり合わせるように構成されることを含む
装置。
【請求項３４】
１次品質尺度は信号対雑音比または信号対電力比である、請求項３３の装置。
【請求項３５】
２次品質尺度は信号対雑音比または信号対電力比であり、１次品質尺度と２次品質尺度は同じ比ではない、請求項３４の装置。
【請求項３６】
該プロセッサは優先順位を付けられたセルが最高の１次品質尺度と最高の２次品質尺度を有するかどうかをチェックするために更に構成され、最高の１次品質尺度と最高の２次品質尺度を持つセルが選択される、請求項３３の装置。
【請求項３７】
１次品質尺度のセル優先順位の２次品質尺度のセル優先順位に対する比較検討は重み係数の使用によって実行される、請求項３３の装置。
【請求項３８】
該比較の結果の関数として利用のためのセルを選択することは、
サービシング・セルを識別するために、該サービシング・セルは主セルである
ある補助セルが該サービシング・セルと比較してより高い１次品質尺度とより高い２次品質尺度を有するかどうかを判定するために、
もし該補助セルが該サービシング・セルと比較してより高い１次品質尺度とより高い２次品質尺度を有するならば、該補助セルを利用のために選択するために、及び
もし該補助セルが該サービシング・セルと比較してより高い１次品質尺度とより高い２次品質尺度を有しないならば、該主セルをサービシング・セルとして維持するために
該プロセッサが更に構成されることを可能にする、請求項３３の装置。
【請求項３９】
該プロセッサは、該サービシング・セルと比較してより高い１次品質尺度とより高い２次品質尺度を有する補助セルが１より多くあるならば、１セルを利用のために指定するために更に構成される、請求項３８の装置。
【請求項４０】
該プロセッサは１次品質尺度または２次品質尺度を測定するために更に構成される、請求項３３の装置。
【国際調査報告】
2010531098.tif 000017
2010531098.tif 000018
2010531098.tif 000019